【手続補正書】
【提出日】平成18年7月4日(2006.7.4)
【手続補正１】
【補正対象書類名】明細書
【補正対象項目名】特許請求の範囲
【補正方法】変更
【補正の内容】
【特許請求の範囲】
【請求項１】  生成物が流れる通路を含むエクストルーダ（１０）に接続するのに適した押出ダイクランプアセンブリ（５０１）であって、
エクストルーダの通路と連通するアダプタプレート通路（１５）を含み、第一の周辺表面を含むアダプタプレート（１）と、
アダプタプレート通路（１５）と流体連通しているダイボディ通路（３５）を含み、第一の周辺表面に対応する第二の周辺表面を含むダイボディ（２）と、
第一のセクション（１６）と第二のセクション（１７）とを含むクランプカラーアセンブリ（３）であって、閉位置において対応する第一と第二の表面を互いに突き合わせて位置させ、アダプタプレート（１）及びダイボディ（２）を互いに開位置に分離させることが可能であるクランプカラーアセンブリ（３）と、
クランプカラーアセンブリ（３）を第一のピボット方向と第二のピボット方向に移動可能に支持するとともにダイボディ（２）を第二のピボット方向に移動可能に支持するピボットアセンブリ（７）であって、クランプカラーアセンブリ（３）をダイボディ（２）及びアダプタープレート（１）から離れる第一のピボット方向に旋回可能に支持する第一のピボット接続と、ダイボディ（２）及びアダプタープレート（１）をアダプタプレート（１）から離れる第二のピボット方向に旋回可能に支持する第二のピボット接続とを備えるピボットアセンブリ（７）
を備える押出ダイクランプアセンブリ。
【請求項２】  さらに、ダイボディ通路（３５）と流体連通している少なくとも１つのダイプレート通路（５０）と少なくとも１つの開口とを含む少なくとも１つのダイプレート（５）も含んでおり、エクストルーダからアダプタプレート通路（１５）を介してダイボディ通路（３５）そしてダイプレート通路（５０）へと通過する生成物が開口から押し出されるように適合しており、ダイプレート（５）がダイボディ（２）に接続可能である、請求項１記載の押出ダイクランプアセンブリ。
【請求項３】  さらに、アダプタプレート通路（１５）、ダイボディ通路（３５）、ダイプレート通路（５０）を含む生成物流路を含んでいて、生成物がエクストルーダから生成物流路を通って流れるように適合しており、また、生成物流路内に位置する少なくとも１つのブレーカプレート（４）を含んでおり、生成物がブレーカプレート（４）を通って流れる、請求項２記載の押出ダイクランプアセンブリ。
【請求項４】  少なくとも１つのブレーカプレート（４）が、生成物がこのブレーカプレート（４）を通って流れるように通路を含んでいる、請求項３記載の押出ダイクランプアセンブリ。
【請求項５】  通路がスクリーンパック（１５１）、穴及びろ過構造の少なくとも１つを含んでいる、請求項４記載の押出ダイクランプアセンブリ。
【請求項６】  ブレーカプレート（４）が、このブレーカプレート（４）を生成物流路内に密封された形態で位置させるように配置された少なくとも１つのシール（１５０）を含んでいる、請求項３記載の押出ダイクランプアセンブリ。
【請求項７】  ブレーカプレート（４）がアダプタプレート（１）とダイボディ（２）との間で生成物流路内に位置している、請求項３記載の押出ダイクランプアセンブリ。
【請求項８】  アダプタプレート（１）とダイボディ（２）の各々が少なくとも１つの凹み（４２，４０）を含んでおり、各々の凹みがブレーカプレート（４）を受容するように適合している、請求項７記載の押出ダイクランプアセンブリ。
【請求項９】  ブレーカプレート（４）がアダプタプレート（１）及びダイボディ（２）と共にシールを形成するように適合している、請求項３記載の押出ダイクランプアセンブリ。
【請求項１０】  アダプタプレート（１）とダイボディ（２）の各々がダイプレート（５）とアダプタプレート（１）の中心を定め自己整列させるようにブレーカプレート（４）と合致している、請求項３記載の押出ダイクランプアセンブリ。
【請求項１１】  さらに、ダイプレート（５）をダイボディ（２）に接続する少なくとも１つの機械的接続を含んでいる、請求項２記載の押出ダイクランプアセンブリ。
【請求項１２】  ピボットアセンブリ（７）が第一セクションピボット軸と第二セクションピボット軸を含んでおり、第一のセクション（１６）が第一セクションピボット軸の回りで旋回可能であり、第二のセクション（１７）が第二セクションピボット軸の回りで旋回可能であって、クランプカラーアセンブリ（３）を開位置及び閉位置に移動させる、請求項１記載の押出ダイクランプアセンブリ。
【請求項１３】  第一のセクション（１６）と第二のセクション（１７）の少なくとも１つがハンドルを含んでいる、請求項１記載の押出ダイクランプアセンブリ。
【請求項１４】  第一のセクション（１６）と第二のセクション（１７）の少なくとも１つが、クランプカラーアセンブリ（３）の第一のセクション（１６）と第二のセクション（１７）を閉位置に維持するラッチ構造を含んでいる、請求項１記載の押出ダイクランプアセンブリ。
【請求項１５】  アダプタプレート（１）とダイボディ（２）が各々外面を含んでおり、クランプカラーアセンブリ（３）の第一のセクション（１６）と第二のセクション（１７）がアダプタプレート（１）とダイボディ（２）のそれぞれの外面と合致している、請求項１記載の押出ダイクランプアセンブリ。
【請求項１６】  アダプタプレート（１）とダイボディ（２）の外面の各々が突出部を含んでおり、クランプカラーアセンブリ（３）の第一のセクション（１６）と第二のセクション（１７）が各々それぞれの突出部と実質的に合致する溝を含んでいる、請求項１５記載の押出ダイクランプアセンブリ。
【請求項１７】  ピボットアセンブリ（７）がピボット軸を規定する少なくとも１つのピボットピンを含んでおり、ピボットピンがアダプタプレート（１）及びダイボディ（２）と協同してダイボディ（２）とクランプカラーアセンブリ（３）を旋回可能に押出ダイクランプアセンブリに装着する、請求項１記載の押出ダイクランプアセンブリ。
【請求項１８】  ピボットアセンブリ（７）がさらに、ダイボディ（２）を第二のピボット方向に移動させるために旋回可能に支持する少なくとも１つの旋回アームを含んでいる、請求項１７記載の押出ダイクランプアセンブリ。
【請求項１９】  少なくとも１つの旋回アームが第一の脚と第二の脚を有するほぼＬ字形のエレメントを含んでおり、第一の脚がダイボディ（２）を支持しており、第二の脚がピボットピンに接続されている、請求項１８記載の押出ダイクランプアセンブリ。
【請求項２０】  第二の脚がさらに複数のピボット突出部を含んでおり、複数のピボット突出部がピボットピンを受容する穴を含んでいて旋回アームが第二の方向に旋回移動するように装着されている、請求項１８記載の押出ダイクランプアセンブリ。
【請求項２１】  ピボットアセンブリ（７）がさらに静止ピボットサポートブラケットとピボット軸を規定する少なくとも１つのピボットピンとを含んでおり、ピボットサポートブラケットが穴のあるピボット突出部を含んでおり、少なくとも１つのピボットピンがピボットサポートブラケットのピボット突出部によって受容されてダイボディ（２）を旋回可能に支持する、請求項１記載の押出ダイクランプアセンブリ。
【請求項２２】  さらに、アダプタプレート（１）とダイボディ（２）の第一と第二の周辺表面に少なくとも１つのシールを含んでいる、請求項１記載の押出ダイクランプアセンブリ。
【請求項２３】  さらに少なくとも１つのブレーカプレート（４）を含んでおり、シールがアダプタプレート（１）、ダイボディ（２）及びブレーカプレート（４）のひとつの変形によって形成された金属−金属シールからなる、請求項２２記載の押出ダイクランプアセンブリ。
【請求項２４】  エクストルーダがフランジを含んでおり、アダプタプレート（１）がフランジに接続されている、請求項１記載の押出ダイクランプアセンブリ。
【請求項２５】  さらに、アダプタプレート（１）をエクストルーダフランジに接続する少なくとも１つの機械的接続を含んでいる、請求項２４記載の押出ダイクランプアセンブリ。
【請求項２６】  ピボットアセンブリ（７）がさらに第一の方向への移動を容易にする少なくとも１つのベアリング構造を含んでいる、請求項１記載の押出ダイクランプアセンブリ。
【請求項２７】  ピボットアセンブリ（７）が自身、ダイボディ（２）及びカラークランプアセンブリの全重量を支持している、請求項１記載の押出ダイクランプアセンブリ。
【請求項２８】  ピボットアセンブリ（７）がアダプタプレート（１）に装着されている、請求項１記載の押出ダイクランプアセンブリ。
【請求項２９】  請求項１乃至請求項２８のいずれか１項記載の押出ダイクランプアセンブリを備えるエクストルーダ。
【請求項３０】  請求項１乃至請求項２８のいずれか１項記載の押出ダイクランプアセンブリであって、当該ダイクランプアセンブリがエクストルーダの最後のバレルに接続するのに適していてアダプタプレート（１）を形成し、最後のバレルがフランジを含んでおり、該エクストルーダと最後のバレルが生成物が流れる少なくとも１つの通路を規定する、押出ダイクランプアセンブリ。